(57)【要約】【課題】システムクロック周波数が異なる無線通信システム間の時刻変換を行うことなく、無線通信システム間における受信動作の重複を防止できる、デュアルモード乃至マルチモード無線通信装置のタイミング制御装置を提供する。【解決手段】システムクロック周波数の異なる複数の無線通信システムに共通のシステムタイマ１１１と、システムタイマ１１１を制御するＣＰＵ１１２とを備える。ＣＰＵ１１２は、システムタイマ１１１のシステムクロック周波数を、複数の無線通信システムの中でシステムクロック周波数が最も大きい無線通信システムのシステムクロック周波数とするとともに、システムタイマ１１１のタイマ周期を、複数の無線通信システムのタイマ周期の最小公倍数とするように制御する。【選択図】　　図１
2004104244.tif 000002
【特許請求の範囲】
【請求項１】
複数の異なる無線通信システムに対応した無線通信装置のための、前記複数の異なる無線通信システム間における受信動作の重複を防止するタイミング制御装置であって、
システムクロック周波数が異なる複数の無線通信システムに共通のシステムタイマ手段と、
前記システムタイマのクロック周波数には、前記複数の無線通信システムの中でシステムクロック周波数が最も大きい無線通信システムのシステムクロック周波数を選択し、前記システムタイマのタイマ周期には、前記複数の無線通信システムの各タイマ周期の最小公倍数を選択する制御手段と、
を備えたことを特徴とするタイミング制御装置。
【発明の詳細な説明】
【０００１】
【発明の属する技術分野】
本発明は、デュアルモードまたはマルチモード（以下、まとめて「マルチモード」という。）に対応した無線通信装置のためのタイミング制御装置に関する。
【０００２】
【従来の技術】
ＵＭＴＳ−ＦＤＤ（Ｕｎｉｖｅｒｓａｌ　Ｍｏｂｉｌｅ　Ｔｅｌｅｃｏｍｍｕｎｉｃａｔｉｏｎｓ　Ｓｙｓｔｅｍ　−　Ｆｒｅｑｕｅｎｃｙ　Ｄｉｖｉｓｉｏｎ　Ｄｕｐｌｅｘ）およびＧＳＭ（Ｇｌｏｂａｌ　Ｓｙｓｔｅｍ　ｆｏｒ　Ｍｏｂｉｌｅ　ｃｏｍｍｕｎｉｃａｔｉｏｎ）といったシステムクロック周波数が異なる複数の無線通信システムで通信を行うためには、システム間においてシームレスなハンドオーバが可能なマルチモードの無線通信装置が利用可能な基地局装置が必要となる。このような異種システム間におけるシームレスハンドオーバを実現するためには、一方の無線通信システムに対する通話中に、他方の無線通信システムに対する同期をあらかじめ獲得しておくことが必要である。
【０００３】
特許文献１（特開２００２−１５８６００号公報）では、この問題を解決し、かつ、デュアルモード移動局の小型軽量化に有利となるタイミング制御装置および制御方法を提供している。図３は、ＵＭＴＳとＧＳＭに対応したデュアルモード無線通信装置用の従来のタイミング制御装置のブロック図である。同図に示すタイミング制御装置は、ＵＭＴＳシステムタイマ３１１と、ＧＳＭシステムタイマ３２１と、中央制御装置（以下「ＣＰＵ」という。）３３１とを備えて構成されている。なお、ＵＭＴＳシステムタイマ３１１は、ＵＭＴＳタイマカウンタ３１２と、ＵＭＴＳ比較器３１３と、ＵＭＴＳトリガ発生値レジスタ３１４と、ＵＭＴＳタイマカウンタ値レジスタ３１５とを有している。また、ＧＳＭシステムタイマ３２１は、ＧＳＭタイマカウンタ３２２と、ＧＳＭ比較器３２３と、ＧＳＭトリガ発生値レジスタ３２４と、ＧＳＭタイマカウンタ値レジスタ３２５とを有している。
【０００４】
当該タイミング制御装置においては、ＵＭＴＳタイマカウンタ３１２の出力と、ＵＭＴＳトリガ発生値レジスタ３１４に記憶されている値とを、ＵＭＴＳ比較器３１３によって比較した結果、一致した場合にはトリガパルスを出力する。ＵＭＴＳラッチトリガ出力３１６は、ＧＳＭシステムタイマ３２１のラッチトリガ入力（ＧＳＭラッチトリガ入力）３２７に接続されている。ＧＳＭラッチトリガ入力３２７からトリガパルスが入力された時、ＧＳＭタイマカウンタ３２２の出力はＧＳＭタイマカウンタ値レジスタ３２５にラッチされる。ＵＭＴＳトリガ発生値レジスタ３１４はＣＰＵ３３１から書込み可能であり、ＧＳＭタイマカウンタ値レジスタ３２５はＣＰＵ３３１ヘ読込み可能である。このように構成することによってＣＰＵ３３１は、ＵＭＴＳシステムタイマ３１１の既知時刻におけるＧＳＭシステムタイマ３２１の時刻を知ることができるため、両システムタイマ間同期を獲得することができる。
【０００５】
なお、上記の動作説明ではＵＭＴＳシステムタイマ３１１を基準としたが、ＧＳＭシステムタイマ３２１を基準とする場合も同様である。
【０００６】
以上のようにして両システムタイマ間同期を獲得した後、当該タイミング制御装置においては、ＵＭＴＳシステムに対する受信動作とＧＳＭシステムに対する受信動作とが重複しないように、ＣＰＵ３３によって制御される。
【０００７】
【特許文献１】
特開２００２−１５８６００号公報
【０００８】
【発明が解決しようとする課題】
しかし、上記説明した従来のタイミング制御装置では、両システムタイマ間同期を獲得した後、ＵＭＴＳシステムに対する受信動作とＧＳＭシステムに対する受信動作とが重複しないように、ＣＰＵ３３１は、ＵＭＴＳシステムタイマ３１１におけるタイミング上の時刻をＧＳＭシステムタイマ３２１におけるタイミング上の時刻に変換するか、ＧＳＭシステムタイマ３１１におけるタイミング上の時刻をＵＭＴＳシステムタイマ３１１におけるタイミング上の時刻に変換する必要があった。
【０００９】
本発明は、上記従来の事情に鑑みてなされたものであって、システムクロック周波数が異なる無線通信システム間の時刻変換を行うことなく、無線通信システム間における受信動作の重複を防止可能なマルチモードに対応した無線通信装置のためのタイミング制御装置を提供することを目的としている。
【００１０】
【課題を解決するための手段】
上記目的を達成するために、本発明に係るタイミング制御装置は、複数の異なる無線通信システムに対応した無線通信装置のための、前記複数の異なる無線通信システム間における受信動作の重複を防止するタイミング制御装置であって、システムクロック周波数が異なる複数の無線通信システムに共通のシステムタイマ手段と、前記システムタイマのクロック周波数には、前記複数の無線通信システムの中でシステムクロック周波数が最も大きい無線通信システムのシステムクロック周波数を選択し、前記システムタイマのタイマ周期には、前記複数の無線通信システムの各タイマ周期の最小公倍数を選択する制御手段と、を備えている。したがって、システムクロック周波数が異なる無線通信システム間の時刻変換を行うことなく、無線通信システム間における受信動作の重複を防止することができる。
【００１１】
【発明の実施の形態】
以下、デュアルモードまたはマルチモードに対応した無線通信装置のための本発明に係るタイミング制御装置の実施の形態について、図１および図２を参照して詳細に説明する。
【００１２】
図１に示す本実施形態のタイミング制御装置は、マルチモード無線通信装置用であり、システムクロック周波数の異なる複数（ｎ個）の無線通信システムに共通のシステムタイマ（以下「共通システムタイマ」という。）１１１と、共通システムタイマ１１１を制御するＣＰＵ１１２とを備えて構成されている。また、図２に示す本実施形態のタイミング制御装置は、ＵＭＴＳとＧＳＭに対応したデュアルモード無線通信装置用であり、ＵＭＴＳシステムとＧＳＭシステムに共通の共通システムタイマ２１１と、共通システムタイマ２１１を制御するＣＰＵ１１２とを備えて構成されている。なお、共通システムタイマ１１１，２１１は特許請求の範囲のシステムタイマ手段に該当し、ＣＰＵ１１２，２１２は制御手段に該当する。
【００１３】
以下、図２に示したデュアルモード無線通信装置用のタイミング制御装置について説明する。
図３に示したＵＭＴＳとＧＳＭに対応したデュアルモード無線通信装置用の従来のタイミング制御装置では、ＵＭＴＳシステムタイマ３１１のＵＭＴＳタイマカウンタ３１２のタイマクロック周波数をＵＭＴＳシステムの１／４チップレート（Ｃｈｉｐ　Ｒａｔｅ）に相当する１５．３６ＭＨｚとし、タイマ周期をＵＭＴＳシステムの１フレーム周期に相当する１０ｍｓとするのが代表的な実装例である。この場合、ＵＭＴＳタイマカウンタ３１２の値は、０〜１５３５９９（＝１５．３６ＭＨｚ×１０ｍｓ−１）を循環する。
【００１４】
一方、ＧＳＭシステムタイマ３２１のＧＳＭタイマカウンタ３２２のタイマクロック周波数をＧＳＭシステムの１／４シンボルレート（Ｓｙｍｂｏｌ　Ｒａｔｅ）に相当する１３／１２ＭＨｚ＝１．０８３ＭＨｚとし、タイマ周期をＧＳＭシステムの１フレーム周期に相当する６０／１３ｍｓ＝４．６１６ｍｓとするのが代表的な実装例である。この場合、ＧＳＭタイマカウンタ３２２の値は、０〜４９９９（＝１３／１２ＭＨｚ×６０／１３ｍｓ−１）を循環する。
【００１５】
これに対し、図２に示した本実施形態のタイミング制御装置では、共通システムタイマ２１１のクロック周波数には、ＵＭＴＳシステムのタイマクロック周波数である１５．３６ＭＨｚと、ＧＳＭシステムのタイマクロック周波数である１３／１２ＭＨｚ（＝１．０８３ＭＨｚ）との内、大きい方の１５．３６ＭＨｚを用いる。これはシステムタイマクロック選択の基準がタイミング制御の時間精度であることから、より大きい方のクロック周波数である１５．３６ＭＨｚを用いれば、ＵＭＴＳシステムはもちろんのこと、ＧＳＭシステムの時間精度も満足することができるからである。
【００１６】
また、図２に示した共通システムタイマ２１１のタイマ周期には、ＵＭＴＳシステムのタイマ周期である１０ｍｓとＧＳＭシステムのタイマ周期である６０／１３ｍｓ（＝４．６１５ｍｓ）との最小公倍数である６０ｍｓを用いる。これはシステムのタイマ周期選択の基準がタイミング制御の周期性であることから、ＵＭＴＳシステムのタイマ周期とＧＳＭシステムのタイマ周期との最小公倍数である６０ｍｓを用いれば、ＵＭＴＳシステムは元の周期を６倍にすることで周期性を保つことができ、ＧＳＭシステムは元の周期を１３倍にすることで周期性を保つことができるからである。
【００１７】
このように、共通システムタイマ２１１のタイマクロック周波数を１５．３６ＭＨｚとし、タイマ周期を６０ｍｓととした場合、共通システムタイマ２１１の値は０〜９２１５９９（＝１５．３６ＭＨｚ×６０ｍｓ−１）を循環する。
【００１８】
したがって、共通システムタイマ２１１を構成することにより、ＣＰＵ２１２は共通システムタイマ２１１を制御するだけで、ＵＭＴＳシステムとＧＳＭシステムとの間の時刻変換を行うことなく、システムクロック周波数が異なるＵＭＴＳシステムとＧＳＭシステムとの間における受信動作が重複しない防止することができる。
【００１９】
上述の効果は、ｎ個の無線通信システムが存在するときのマルチモード無線通信装置であっても同様に得られる。すなわち、図１に示したタイミング制御装置おいて、共通システムタイマ１１１のタイマクロック周波数には第１〜第ｎ無線通信システムの中でシステムクロック周波数が最も大きい無線通信システムのシステムクロック周波数ｘ［Ｈｚ］を選択し、共通システムタイマ１１１のタイマ周期には第１〜第ｎ無線通信システムのタイマ周期の最小公倍数ｙ［ｓｅｃ］を選択する。この場合、共通システムタイマ１１１の値は０〜ｘ×ｙ−１を循環する。
【００２０】
したがって、共通システムタイマ１１１を構成することにより、ＣＰＵ１１２は共通システムタイマ１１１を制御するだけで、第１〜第ｎ無線通信システムの受信動作を時間的に重複することなく制御でき、かつ、システム間の時刻変換を行う必要がない。
【００２１】
【発明の効果】
以上説明したように、本発明によれば、システムクロック周波数が異なる無線通信システム間の時刻変換を行うことなく、無線通信システム間における受信動作の重複を防止可能なマルチモードに対応した無線通信装置のためのタイミング制御装置を提供することができる。
【図面の簡単な説明】
【図１】本発明に係るタイミング制御装置の一実施形態を示すブロック図
【図２】本発明に係るタイミング制御装置の他の実施形態を示すブロック図
【図３】従来のタイミング制御装置のブロック図
【符号の説明】
１１１，２１１　システムタイマ
１１２，２１２　ＣＰＵ（制御装置）
【図１】
2004104244.tif 000003
【図２】
2004104244.tif 000004
【図３】
2004104244.tif 000005